(57)【要約】【課題】本発明は、多層光ディスクに対して高精度なトラッキング制御を行い得るようにする。【解決手段】受光素子３０のサブ受光部３３及び３４が受光している迷光の干渉縞を迷光受光部３５〜３８で受光して迷光検出信号Ｅ１〜Ｈ２を生成し、当該迷光検出信号Ｅ１〜Ｈ２を用いてサイドプッシュプル信号ＳＰＰ１及びＰＰ２に含まれる干渉縞のノイズ成分をキャンセルすることにより、多層ディスクに対し迷光の影響を廃した精度の高い差動プッシュプル信号ＤＰＰを生成することができる。【選択図】図３
2007179711.tif 000002
【特許請求の範囲】
【請求項１】
光源から出射された光ビームを主ビーム及び副ビームに分光する分光手段と、
上記主ビーム及び副ビームを集光して光ディスクの記録面に照射するとともに、当該記録面で反射された反射主ビーム及び反射副ビームを集光するレンズ手段と、
上記レンズ手段で集光された反射副ビームを、第１の分割線で２分割された２つの受光面で受光し、その受光量に応じた第１の検出信号を生成する第１の受光手段と、
上記主ビーム及び副ビームが合焦していない記録面で反射された非合焦反射主ビーム及び非合焦反射副ビームのみを、第２の分割線で２分割された２つの受光面で受光し、その受光量に応じた第２の検出信号を生成する第２の受光手段と、
上記第１の検出信号に含まれる上記非合焦反射主ビーム及び非合焦反射副ビームによるノイズ成分を、上記第２の検出信号を用いてキャンセルするノイズキャンセル手段と
を具え、
上記第１の分割線は、上記光ディスクの信号列方向に相当する方向に対して略平行で、
上記第２の分割線は、上記非合焦反射主ビーム及び反射非合焦副ビームによる干渉縞に対して略平行である
ことを特徴とする光ピックアップ装置。
【請求項２】
上記第２の受光手段は、上記第１の受光手段を中心とする対称位置に２個配置される
ことを特徴とする請求項１に記載の光ピックアップ装置。
【請求項３】
上記第２の受光手段は、上記第１の受光手段が受光する上記干渉縞と同位相の干渉縞を受光する位置に配置される
ことを特徴とする請求項１に記載の光ピックアップ装置。
【請求項４】
上記反射主ビームの受光量に応じた第３の検出信号と、上記第１及び第２の検出信号とに基づいて、上記主ビームの照射位置を制御するトラッキング制御手段
を具えることを特徴とする請求項１に記載の光ピックアップ装置。
【請求項５】
光源から出射された光ビームを主ビーム及び副ビームに分光する分光手段と、
上記主ビーム及び副ビームを集光して光ディスクの記録面に照射するとともに、当該記録面で反射された反射主ビーム及び反射副ビームを集光するレンズ手段と、
上記レンズ手段で集光された反射副ビームを、第１の分割線で２分割された２つの受光面で受光し、その受光量に応じた第１の検出信号を生成する第１の受光手段と、
上記主ビーム及び副ビームが合焦していない記録面で反射された非合焦反射主ビーム及び非合焦反射副ビームのみを、第２の分割線で２分割された２つの受光面で受光し、その受光量に応じた第２の検出信号を生成する第２の受光手段と、
上記第１の検出信号に含まれる上記非合焦反射主ビーム及び非合焦反射副ビームによるノイズ成分を、上記第２の検出信号を用いてキャンセルするノイズキャンセル手段と
を具え、
上記第１の分割線は、上記光ディスクの信号列方向に相当する方向に対して略平行で、
上記第２の分割線は、上記非合焦反射主ビーム及び非合焦反射副ビームによる干渉縞に対して略平行である
ことを特徴とする光ディスク装置。
【発明の詳細な説明】
【技術分野】
【０００１】
本発明は光ピックアップ装置及び光ディスク装置に関し、例えばＤＰＰ（Differential
Push Pull）法を用いてトラッキング制御を行う光ディスク装置に適用して好適なものである。
【背景技術】
【０００２】
従来、光ディスク装置のトラッキングの制御方法として、ＤＰＰ（Differential Push
Pull：差動プッシュプル）法が広く用いられている。
【０００３】
かかるＤＰＰ法を適用した光ディスク装置では、レーザダイオードから出射した光ビームを回折格子によって主ビーム（０次光ビーム）及び２本の副ビーム（±１次光ビーム）に分光し、光ディスクに対して当該主ビームによるメインスポットを所望のトラック（グルーブ）上に位置するように照射すると共に、副ビームによる２つのサブスポットを当該所望のトラックから互いに反対方向へ半トラック分ずつずれたランドに位置するよう照射する。
【０００４】
そして光ディスク装置は、図６に示すように、光ディスクにおいて主ビームが反射されたメイン反射光スポットＳＰａを受光素子１のメイン受光部２で受光するとともに、副ビームが反射されたサブ反射光スポットＳＰｂ及びＳＰｃをサブ受光部３及び４で受光する。
【０００５】
メイン受光部２は、４分割された受光面Ａ〜Ｄでメイン反射光スポットＳＰａを受光し、当該受光面Ａ〜Ｄそれぞれの受光量に応じた検出信号Ａ〜Ｄを生成する。またサブ受光部３は、２分割された受光面Ｅ及びＦでサブ反射光スポットＳＰｂを受光し、当該受光面Ｅ及びＦそれぞれの受光量に応じた検出信号Ｅ及びＦを生成する。同様にサブ受光部４は、２分割された受光面Ｇ及びＨでサブ反射光スポットＳＰｃを受光し、当該受光面Ｇ及びＨそれぞれの受光量に応じた検出信号Ｇ及びＨを生成する。
【０００６】
光ディスク装置は、受光部２〜４によって生成された検出信号Ａ〜Ｈに基づき、次式を用いてメインプッシュプル信号ＭＰＰ、サイドプッシュプル信号ＳＰＰ１及びＳＰＰ２を生成する。
【０００７】
ＭＰＰ＝（Ａ＋Ｂ）−（Ｃ＋Ｄ）
ＳＰＰ１＝Ｅ−Ｆ
ＳＰＰ２＝Ｇ−Ｈ                                                  …（１）
【０００８】
そして光ディスク装置は、生成したメインプッシュプル信号ＭＰＰ、サイドプッシュプル信号ＳＰＰ１及びＳＰＰ２に基づき、次式を用いて差動プッシュプル信号ＤＰＰを生成し、当該差動プッシュプル信号ＤＰＰを用いてトラッキング制御処理を行うようになされている。ただし、ｋはＳＰａとＳＰｂ、ＳＰｃの光量比に基づく補正係数である。
【０００９】
ＤＰＰ＝ＭＰＰ／(Ａ＋Ｂ＋Ｃ＋Ｄ)−ｋ(ＳＰＰ１／(Ｅ＋Ｆ))＋(ＳＰＰ２／(Ｇ＋Ｈ))
…（２）
【００１０】
式（２）に示した差動プッシュプル信号ＤＰＰの算出式では、メインプッシュプル信号ＭＰＰ、サイドプッシュプル信号ＳＰＰ１、ＳＰＰ２をそれぞれ対応する検出部１１、１２、１３の総受光量Ａ＋Ｂ＋Ｃ＋Ｄ、Ｅ＋Ｆ、Ｇ＋Ｈで除算して正規化することにより、光ディスクの種別や記録状態に応じた反射光量の違いによって差動プッシュプル信号ＤＰＰに生じるオフセットを回避するようになされている。
【００１１】
ところで近年では、ＤＶＤ（Digital Versatile Disc）やＢｌｕ−ｒａｙ  Ｄｉｓｃ（登録商標）等の一部のように複数の記録層を有する光ディスク（以下、これを多層ディスクと呼ぶ）が実用化されており、この多層ディスクに対応した光ディスク装置も普及している。そして、このような多層ディスク対応の光ディスク装置においても、ＤＰＰ法を用いてトラッキング制御を行うことが考えられる。
【００１２】
しかしながら、かかる構成の光ディスク装置で多層ディスクを使用した場合、図７に示すように、光ビーム（主ビーム及び副ビーム）が合焦している記録層で反射された主反射光に加えて、当該光ビームが合焦していない記録層（非合焦記録層）でそれぞれ反射された非合焦光（迷光）が発生する。この迷光は受光素子１のメイン受光部２、サブ受光部３及び４に広く入射して検出信号Ａ〜Ｆに影響を与えてしまう。
【００１３】
ここで、ＤＰＰ法を用いた光ディスク装置では、主ビームの光利用効率を良くするため、主ビームと副ビームの強度比が例えば１０：１程度に設定されている。このため、上述した迷光による影響は比較的強度の弱い副ビームに大きく表れ、これにより当該副ビームに基づくサイドプッシュプル信号ＳＰＰ１及びＳＰＰ２にオフセットが生じてしまい、正常な差動プッシュプル信号ＤＰＰを得られなくなるという問題があった。
【００１４】
このような問題を解決するため、迷光のみを受光する位置に迷光検出用受光部を設け、当該迷光検出用受光部で検出した迷光光量を用いてトラッキング制御を行うようになされた光ディスク装置が提案されている（例えば、特許文献１参照）。
【特許文献１】特開平７−１３４８３１号公報
【発明の開示】
【発明が解決しようとする課題】
【００１５】
上述したように、迷光は非合焦記録層で反射された主ビーム及び副ビームの反射光が重なりあったものであり、このため当該迷光には主ビーム及び副ビームの強度や位相差に応じた干渉縞が発生する。この干渉縞は、非合焦記録層における０次光ビーム及び±１次光ビームの反射箇所からの距離差に応じて生じるため、メイン反射光スポットＳＰａ、サブ反射光スポットＳＰｂ及びサブ反射光スポットＳＰｃの配列方向に対してほぼ直角をなしている。このため図８に示すように、迷光の干渉縞はサブ受光部３及び４における受光面の分割線とほぼ平行となり、これにより当該干渉縞の影響によって受光面ＥとＦの間、及び受光面ＧとＨの間で受光量に差が生じてしまう。
【００１６】
さらにこの干渉縞は、光ディスクの記録層間距離の不均一性や面ぶれ等の影響によって光ディスクの回転に伴い周期的に変化するため、当該干渉縞の明暗の変化によってサイドプッシュプル信号ＳＰＰ１及びＳＰＰ２にノイズが生じ、これによりトラッキング制御の精度を低下させてしまうという問題があった。
【００１７】
本発明は以上の点を考慮してなされたもので、多層ディスクに対して高精度なトラッキングを行い得る光ピックアップ装置及び光ディスク装置を提案しようとするものである。
【課題を解決するための手段】
【００１８】
かかる課題を解決するため本発明の光ピックアップ装置においては、光源から出射された光ビームを主ビーム及び副ビームに分光する分光手段と、主ビーム及び副ビームを集光して光ディスクの記録面に照射するとともに、当該記録面で反射された反射主ビーム及び反射副ビームを集光するレンズ手段と、レンズ手段で集光された反射副ビームを、第１の分割線で２分割された２つの受光面で受光し、その受光量に応じた第１の検出信号を生成する第１の受光手段と、主ビーム及び副ビームが合焦していない記録面で反射された非合焦反射主ビーム及び非合焦反射副ビームのみを、第２の分割線で２分割された２つの受光面で受光し、その受光量に応じた第２の検出信号を生成する第２の受光手段と、第１の検出信号に含まれる非合焦主ビーム及び非合焦反射副ビームによるノイズ成分を、第２の検出信号を用いてキャンセルするノイズキャンセル手段とを設け、第１の分割線を、光ディスクの信号列方向に相当する方向に対して略平行になるよう配置するとともに、第２の分割線を、非合焦反射主ビーム及び非合焦反射副ビームによる干渉縞に対して略平行になるよう配置した。
【００１９】
これにより、非合焦反射主ビーム及び非合焦反射副ビームによる干渉縞に起因するノイズ成分を第２の受光手段によって第２の検出信号として検出することができるので、第１の検出信号に含まれる当該ノイズ成分を第２の検出信号を用いてキャンセルして、高精度なトラッキング制御を行うことができる。
【００２０】
また本発明の光ディスク装置においては、光源から出射された光ビームを主ビーム及び副ビームに分光する分光手段と、主ビーム及び副ビームを集光して光ディスクの記録面に照射するとともに、当該記録面で反射された反射主ビーム及び反射副ビームを集光するレンズ手段と、レンズ手段で集光された反射副ビームを、第１の分割線で２分割された２つの受光面で受光し、その受光量に応じた第１の検出信号を生成する第１の受光手段と、主ビーム及び副ビームが合焦していない記録面で反射された非合焦反射主ビーム及び非合焦反射副ビームのみを、第２の分割線で２分割された２つの受光面で受光し、その受光量に応じた第２の検出信号を生成する第２の受光手段と、第１の検出信号に含まれる非合焦主ビーム及び非合焦反射副ビームによるノイズ成分を、第２の検出信号を用いてキャンセルするノイズキャンセル手段とを設け、第１の分割線を、光ディスクの信号列方向に相当する方向に対して略平行になるよう配置するとともに、第２の分割線を、非合焦反射主ビーム及び非合焦反射副ビームによる干渉縞に対して略平行になるよう配置した。
【００２１】
これにより、非合焦反射主ビーム及び非合焦反射副ビームによる干渉縞に起因するノイズ成分を第２の受光手段によって第２の検出信号として検出することができるので、第１の検出信号に含まれる当該ノイズ成分を第２の検出信号を用いてキャンセルし、第１の検出信号に基づく高精度なトラッキング制御信号を生成することができる。
【発明の効果】
【００２２】
本発明によれば、非合焦反射主ビーム及び非合焦反射副ビームによる干渉縞に起因するノイズ成分を第２の受光手段によって第２の検出信号として検出することができるので、第１の検出信号に含まれる当該ノイズ成分を第２の検出信号を用いてキャンセルして、高精度なトラッキング制御を行い得る光ピックアップ装置及び光ディスク装置を実現できる。
【発明を実施するための最良の形態】
【００２３】
以下図面について、本発明の一実施の形態を詳述する。
【００２４】
（１）光ディスク装置の全体構成
図１において、１０は全体として光ディスク装置を示し、制御部１１が光ディスク装置１０全体を統括制御するようになされている。制御部１１はモータ１２を制御して光ディスク１００を回転駆動するとともに、光ピックアップ２０を制御して光ディスク１００に光ビームを照射する。光ピックアップ２０は光ビームが光ディスク１００で反射されてなる反射光ビームを検出して再生信号を生成し、これを再生処理部１３に供給する。再生処理部１３は再生信号に対して所定の信号処理を施した後外部に出力する。
【００２５】
（２）光ピックアップの構成
図２は光ピックアップ２０の構成を示し、レーザダイオード２１から出射された光ビームを、分光手段としての回折格子２２によって主ビーム（０次光ビーム）及び２本の副ビーム（±１次光ビーム）に分光し、ビームスプリッタ２３に入射させる。ちなみに±１次光ビームは、０次光ビームと比較してその光量が小さくなるようになされている。
【００２６】
ビームスプリッタ２３は主ビーム及び副ビームを透過し、コリメータレンズ２４を介して対物レンズ２５に入射する。対物レンズ２５は２軸アクチュエータ２６によってフォーカス方向及びトラッキング方向に駆動され、光ディスク１００の記録面１００ａ又は１００ｂの一方に合焦される。
【００２７】
対物レンズ２５は主ビーム及び副ビームを集光し、光ディスク１００の合焦記録面に対し、当該主ビームによるメインスポットを所望のトラック上に位置するように照射すると共に、副ビームによる２つのサブスポットを当該所望のトラックから互いに反対方向へ半トラック分ずつずれたランドに位置するよう照射する。
【００２８】
そして対物レンズ２５は、合焦記録面で反射された反射主ビーム及び反射副ビームを受光し、コリメータレンズ２４により、ビームスプリッタ２３及びシリンドリカルレンズ２７を介して反射主ビーム及び反射副ビームを集光して受光素子３０に入射させる。
【００２９】
受光素子３０は受光光量に基づいて再生ＨＦ信号やフォーカスエラー信号塔の各種検出信号を生成し、信号処理部２８に供給する。そしてノイズキャンセル手段としての信号処理部は、検出信号に基づいてＤＰＰ信号を生成し、制御部１１（図１）に供給する。
【００３０】
（３）受光素子の構成
図３は本発明を適用した受光素子３０を示し、光ディスク１００の合焦記録面で主ビームが反射されてなる反射主ビームのメイン反射光スポットＳＰａをメイン受光部３２で受光するとともに、副ビームが反射されてなる反射副ビームのサブ反射光スポットＳＰｂ及びＳＰｃを第１の受光手段としてのサブ受光部３３及び３４で受光する。
【００３１】
メイン受光部３２は、４分割された受光面Ａ〜Ｄでメイン反射光スポットＳＰａを受光し、当該受光面Ａ〜Ｄそれぞれの受光量に応じた検出信号Ａ〜Ｄを生成する。またサブ受光部３３は、光ディスク１００の記録面における信号列の配列方向（すなわちトラック）に相当する方向に略平行な第１の分割線で２分割された受光面Ｅ０及びＦ０でサブ反射光スポットＳＰｂを受光し、当該受光面Ｅ０及びＦ０それぞれの受光量に応じた検出信号Ｅ０及びＦ０を生成する。同様にサブ受光部３４は、トラックに相当する方向に略平行な第１の分割線で２分割された受光面Ｇ０及びＨ０でサブ反射光スポットＳＰｃを受光し、当該受光面Ｇ０及びＨ０それぞれの受光量に応じた検出信号Ｇ０及びＨ０を生成する。
【００３２】
従来の光ディスク装置では、これら検出信号Ａ〜Ｄ及びＦ０〜Ｈ０（Ｆ〜Ｈ）を用いてメインプッシュプル信号ＭＰＰ、サイドプッシュプル信号ＳＰＰ１及びＳＰＰ２を生成し、さらに差動プッシュプル信号ＤＰＰを生成してトラッキング制御処理を行っていた。
【００３３】
ここで、光ディスク１００に照射された主ビーム及び副ビームは非合焦記録面でも反射され、迷光（非合焦反射主ビーム及び非合焦反射副ビーム）として受光素子３０に照射される。この迷光の照射領域ＳＰｘは、メイン反射光スポットＳＰａやサブ反射光スポットＳＰｂ、ＳＰｃに比べ極めて広く、受光素子３０のメイン受光部３２、サブ受光部３３及び３４に広く入射してその検出信号に影響を与える。特に、副ビームは主ビームに比べて光量が小さいことから迷光の影響を大きく受け、サイドプッシュプル信号ＳＰＰ１及びＳＰＰ２にオフセットが生じてしまう。さらに、この迷光は非合焦反射主ビーム及び非合焦反射副ビーム相互の干渉による干渉縞を有しており、当該干渉縞は光ディスクの回転に伴って周期的に変化するため、副ビームの受光量に基づくサイドプッシュプル信号ＳＰＰ１及びＳＰＰ２にノイズ成分が生じるという問題があった。
【００３４】
このため本発明の光ディスク装置１０では、第２の受光手段としての迷光受光部３５〜３８を設け、これら迷光受光部３５〜３７によって迷光のノイズ成分を検出して、ノイズキャンセル手段としての信号処理部２８によってサイドプッシュプル信号ＳＰＰ１及びＳＰＰ２に含まれるノイズ成分をキャンセルするようになされている。
【００３５】
まず、サイドプッシュプル信号ＳＰＰ１のノイズキャンセルについて説明する。サブ受光部３３の近傍には、第２の受光手段としての迷光受光部３５及び３６が、第１の受光手段としてのサブ受光部３３を挟んで一直線上に設けられている。迷光受光部３５及び３６の合計受光面積は、サブ受光部３３の受光面積とほぼ同面積となるよう選定されている。迷光受光部３５は第２の分割線で２分割された受光面Ｅ１及びＦ１で迷光を受光し、当該受光面Ｅ１及びＦ１それぞれの受光量に応じた迷光検出信号Ｅ１及びＦ１を生成する。同様に迷光受光部３６は、第２の分割線で２分割された受光面Ｅ２及びＦ２で迷光を受光し、当該受光面Ｅ２及びＦ２それぞれの受光量に応じた迷光検出信号Ｅ２及びＦ２を生成する。
【００３６】
ここで、迷光受光部３５、サブ受光部３３及び迷光受光部３６の配列方向は、サブ受光部３３、メイン受光部３２及びサブ受光部３４の配列方向に対して直角に配置されている（従ってサブ反射光スポットＳＰｂ、メイン反射光スポットＳＰａ及びサブ反射光スポットＳＰｃの配列方向に対しても直角）。このため図４に示すように、迷光受光部３５、サブ受光部３３及び迷光受光部３６は、迷光の干渉縞に対して略平行に位置することになる。
【００３７】
さらに、迷光受光部３５における受光面Ｅ１及びＦ１の分割線と、迷光受光部３６における受光面Ｅ２及びＦ２の分割線は、いずれもサブ受光部３３における受光面Ｅ０及びＦ０の分割線と一直線上に設けられており、迷光受光部３５及び迷光受光部３６の分割線は迷光の干渉縞に対して略平行に位置する。従って迷光受光部３５及び３６は、サブ受光部３３が受光しているものとほぼ同じ干渉縞の明暗を受光する。このため当該迷光受光部３５及び３６で生成した迷光検出信号Ｅ１、Ｆ１、Ｅ２及びＦ２に基づいて、サイドプッシュプル信号ＳＰＰ１に含まれる干渉縞のノイズ成分をＥ１−Ｆ１及びＥ２−Ｆ２として検出することができる。
【００３８】
これにより、次式を用いて干渉縞に起因するノイズ成分をキャンセルしたサイドプッシュプル信号ＳＰＰ１を生成することができる。ただし、ｋ１及びｋ２は補正係数である。
【００３９】
ＳＰＰ１＝（Ｅ０−Ｆ０）−ｋ１（Ｅ１−Ｆ１）−ｋ２（Ｅ２−Ｆ２）    …（３）
【００４０】
さらに、式（３）を変形すると次式が得られる。
【００４１】
ＳＰＰ１＝（Ｅ０−（ｋ１Ｅ１＋ｋ２Ｅ２））−（Ｆ０−（ｋ１Ｆ１＋ｋ２Ｆ２））
…（４）
【００４２】
そして、ｋ１＝ｋ２＝ｋとなるように各受光部の面積を選定すると、ノイズ成分をキャンセルしたサイドプッシュプル信号ＳＰＰ１を次式で生成することができる。
【００４３】
ＳＰＰ１＝Ｅ−Ｆ
ただし、Ｅ＝Ｅ０−ｋ（Ｅ１＋Ｅ２）、Ｆ＝Ｆ０−ｋ（Ｆ１＋Ｆ２）        …（５）
【００４４】
次に、サイドプッシュプル信号ＳＰＰ２のノイズキャンセルについて説明する。サブ受光部３４の近傍には、第２の受光手段としての迷光受光部３７及び３８が、第１の受光手段としてのサブ受光部３４を挟んで一直線上に設けられている。迷光受光部３７及び３８の合計受光面積は、サブ受光部３４の受光面積とほぼ同面積となるよう選定されている。迷光受光部３７は第２の分割線で２分割された受光面Ｇ１及びＨ１で迷光を受光し、当該受光面Ｇ１及びＨ１それぞれの受光量に応じた迷光検出信号Ｇ１及びＨ１を生成する。同様に迷光受光部３８は、第２の分割線で２分割された受光面Ｇ２及びＨ２で迷光を受光し、当該受光面Ｇ２及びＨ２それぞれの受光量に応じた迷光検出信号Ｇ２及びＨ２を生成する。
【００４５】
迷光受光部３７、サブ受光部３４及び迷光受光部３８の配列方向は、サブ受光部３３、メイン受光部３２及びサブ受光部３４の配列方向に対して直角に配置されており、このため迷光の干渉縞に対して略平行に位置することになる（図４）。さらに、迷光受光部３７における受光面Ｇ１及びＨ１の分割線と、迷光受光部３８における受光面Ｇ２及びＨ２の分割線は、いずれもサブ受光部３４における受光面Ｇ０及びＨ０の分割線と一直線上に設けられている。
【００４６】
従って迷光受光部３７及び３８は、サブ受光部３４が受光しているものとほぼ同じ干渉縞の明暗を受光する。このため当該迷光受光部３７及び３８で生成した迷光検出信号Ｇ１、Ｈ１、Ｇ２及びＨ２に基づいて、サイドプッシュプル信号ＳＰＰ２に含まれる干渉縞のノイズ成分をＧ１−Ｈ２及びＧ２−Ｈ２として検出することができる。
【００４７】
これにより、次式を用いて干渉縞に起因するノイズ成分をキャンセルしたサイドプッシュプル信号ＳＰＰ２を生成することができる。
【００４８】
ＳＰＰ２＝（Ｇ０−Ｈ０）−ｋ１（Ｇ１−Ｈ１）−ｋ２（Ｇ２−Ｈ２）    …（６）
【００４９】
そして、ｋ１＝ｋ２＝ｋとなるように各受光部の面積を選定すると、ノイズ成分をキャンセルしたサイドプッシュプル信号ＳＰＰ２は次式で生成することができる。
【００５０】
ＳＰＰ２＝Ｅ−Ｆ
ただし、Ｇ＝Ｇ０−ｋ（Ｇ１＋Ｇ２）、Ｈ＝Ｈ０−ｋ（Ｈ１＋Ｈ２）        …（７）
【００５１】
本発明の光ピックアップは、このようにして生成したサイドプッシュプル信号ＳＰＰ１及びＳＰＰ２に基づき、次式を用いて差動プッシュプル信号ＤＰＰを生成することにより、迷光の干渉縞に起因するノイズ成分をキャンセルした高精度な差動プッシュプル信号ＤＰＰを得ることができる。
【００５２】
ＤＰＰ＝ＭＰＰ／(Ａ＋Ｂ＋Ｃ＋Ｄ)−ｋ(ＳＰＰ１／(Ｅ＋Ｆ)＋(ＳＰＰ２／(Ｇ＋Ｈ))
…（８）
【００５３】
（４）動作及び効果
以上の構成において、光ディスク装置１０の光ピックアップ２０は、サブ反射光スポットＳＰｂを受光素子３０のサブ受光部３３で受光して検出信号Ｅ０及びＦ０を生成し、当該検出信号Ｅ０及びＦ０に基づいてサイドプッシュプル信号ＳＰＰ１を生成する。
【００５４】
このとき光ピックアップ２０は、サブ反射光スポットＳＰｂと共にサブ受光部３３に照射されている非合焦記録層からの迷光の干渉縞を、迷光受光部３５及び３６で受光して迷光検出信号Ｅ１、Ｅ２、Ｆ１及びＦ２を生成し、当該迷光検出信号Ｅ１、Ｅ２、Ｆ１及びＦ２を用いてサイドプッシュプル信号ＳＰＰ１に含まれる干渉縞に起因するノイズ成分をキャンセルする。
【００５５】
同様に光ピックアップ２０は、サブ反射光スポットＳＰｃに基づくサイドプッシュプル信号ＳＰＰ２に含まれる干渉縞に起因するノイズ成分を、迷光受光部３７及び３８で生成した迷光検出信号Ｇ１、Ｇ２、Ｈ１及びＨ２を用いてキャンセルする。
【００５６】
このとき、迷光受光部３５、３６及び３７、３８がそれぞれ対応するサブ受光部３３及び３４を中心として対称位置に配置されていることにより、これら受光部の配列方向と干渉縞とに角度差があった場合でも、この角度差に起因する迷光検出信号のレベル差を２つの迷光受光部間で相殺でき、これにより確実に干渉縞のノイズ成分をキャンセルすることができる。
【００５７】
このように光ディスク装置１０は、光ピックアップ２０において、時間的に変動する干渉縞に起因したノイズ成分をキャンセルして、受光素子３０に入射するメイン反射光スポットＳＰａ及びサブ反射光スポットＳＰｂ、ＳＰｃで検出される主ビームの光ディスクのトラッキング方向の誤差を高精度に反映した差動プッシュプル信号ＤＰＰを生成することができ、当該差動プッシュプル信号ＤＰＰを用いて高精度なトラッキング制御を行うことができる。
【００５８】
以上の構成によれば、光ディスク装置１０は、受光素子３０のサブ受光部３３及び３４が受光している迷光の干渉縞を迷光受光部３５〜３８で受光して迷光検出信号Ｅ１〜Ｈ２を生成し、当該迷光検出信号Ｅ１〜Ｈ２を用いてサイドプッシュプル信号ＳＰＰ１及びＰＰ２に含まれる干渉縞のノイズ成分をキャンセルすることにより、多層ディスクに対し迷光の影響を廃した精度の高い差動プッシュプル信号ＤＰＰを生成して、高精度なトラッキング制御を行うことができる。
【００５９】
（５）他の実施の形態
なお上述の実施の形態においては、迷光受光部３５〜３８の受光面の分割線が対応するサブ受光部３３及び３４の受光面と一直線上になるように当該迷光受光部３５〜３８を配置し、サブ受光部３３及び３４が受光するものと同じ干渉縞を迷光受光部３５〜３８で受光させることにより、干渉縞の変化によるノイズをキャンセルするようにしたが、本発明はこれに限らず、サブ受光部３３及び３４が受光する干渉縞と同位相の干渉縞を迷光受光部３５〜３８で受光すれば、同様に干渉縞の変化によるノイズをキャンセルすることができる。
【００６０】
この場合、迷光受光部３５〜３８の受光面の分割線が対応するサブ受光部３３及び３４の受光面と平行で、かつ、対応するサブ受光部３３及び３４と干渉縞の間隔だけ離れた位置に当該迷光受光部３５〜３８を配置すればよい。これにより、受光素子における受光部の位置を自在に設定できるという利点が生じる。
【００６１】
また上述の実施の形態においては、サブ受光部３２及び３３それぞれに対し、１組（２つ）の迷光受光部を対称位置に配置して、受光部の配列方向と干渉縞との角度差に起因する迷光検出信号のレベル差を相殺して、干渉縞の変化によるノイズをキャンセルするようにしたが、本発明はこれに限らず、受光部の配列方向と干渉縞との角度差が小さい場合には、サブ受光部３２及び３３それぞれに対し一つの迷光受光部を設けるだけで、干渉縞の変化によるノイズをキャンセルすることができる。
【００６２】
さらには、受光部の配列方向と干渉縞との角度差が比較的大きい場合でも、サブ受光部３３及び３４が受光している干渉縞と同位相の干渉縞を受光する位置に迷光受光部を配置すれば、サブ受光部３２及び３３それぞれに対し一つの迷光受光部を設けるだけで、干渉縞の変化によるノイズをキャンセルすることができる。
【００６３】
さらに上述の実施の形態においては、比較的光量の小さい副ビーム（±１次光ビーム）の反射光スポットＳＰｂ及びＳＰｃに基づくサイドプッシュプル信号ＳＰＰ１及びＳＳＰ２に含まれる干渉縞のノイズ成分を、迷光検出信号Ｅ１〜Ｈ２を用いてキャンセルするようにしたが、本発明はこれに限らず、比較的光量の大きい主ビーム（０次光ビーム）の反射光スポットＳＰａに基づくメインプッシュプル信号ＭＰＰについても、干渉縞のノイズ成分をキャンセルするようにしてもよい。
【００６４】
すなわち、図３との対応部分に同一符号を付して示す図５は、他の実施の形態の受光素子３１を示し、新たな迷光受光部３９及び４０がメイン受光部３２を挟んで一直線上に設けられている。そして、迷光受光部３９、メイン受光部３２及び迷光受光部４０の配列方向は、サブ受光部３３、メイン受光部３２及びサブ受光部３４の配列方向に対して直角に配置されており、このため当該迷光受光部３９、メイン受光部３２及び迷光受光部４０も迷光の干渉縞に対して略平行に位置することになる。
【００６５】
そして、迷光受光部３９における受光面Ａ１及びＤ１の分割線と、迷光受光部４０における受光面Ｂ２及びＣ２の分割線は、いずれもメイン受光部３２における受光面Ａ０、Ｂ０とＣ０、Ｄ０の分割線と一直線上に設けられている。
【００６６】
従って迷光受光部３９及び４０は、メイン受光部３２が受光しているものとほぼ同じ干渉縞の明暗を受光する。このため当該迷光受光部３９及び４０で生成した迷光検出信号Ａ１、Ｂ１、Ｃ１、及びＤ１に基づいて、メインプッシュプル信号ＭＰＰに含まれる干渉縞のノイズ成分をキャンセルすることができる。この場合のメインプッシュプル信号ＭＰＰは次式を用いて生成することができる。ｋ０は補正係数である。
【００６７】
ＭＰＰ＝（Ａ＋Ｂ）−（Ｃ＋Ｄ）
ただし、
Ａ＝Ａ０−ｋ０Ａ１
Ｂ＝Ｂ０−ｋ０Ｂ１
Ｃ＝Ｃ０−ｋ０Ｃ１
Ｄ＝Ｄ０−ｋ０Ｄ１                                                …（９）
【００６８】
このようにしてメインプッシュプル信号ＭＰＰに含まれる干渉縞のノイズ成分をキャンセルすれば、迷光の影響をさらに減少させた差動プッシュプル信号ＤＰＰを生成して、一層高精度なトラッキング制御を行うことができる。
【産業上の利用可能性】
【００６９】
本発明は、複数の記録層を有する光ディスクから情報を読み出す種々の光ディスク装置にも利用できる。
【図面の簡単な説明】
【００７０】
【図１】本発明の一実施の形態による光ディスク装置の構成を示す略線図である。
【図２】光ピックアップの構成を示す略線図である。
【図３】本発明の一実施の形態による受光素子の受光部の構成を示す略線図である。
【図４】干渉縞と受光素子との関係を示す略線図である。
【図５】他の実施の形態による受光素子の受光部の構成を示す略線図である。
【図６】従来の受光素子における反射光スポットと受光部の関係を示す略線図である。
【図７】主反射光と迷光の説明に供する略線図である。
【図８】従来の受光素子における干渉縞と受光素子との関係を示す略線図である。
【符号の説明】
【００７１】
１、３０、３１……受光素子、２、３２……メイン受光部、３、４、３３、３４……サブ受光部、１０……光ディスク装置、１１……制御部、１２……モータ、１３……再生処理部、２０……光ピックアップ、２１……レーザダイオード、２２……回折格子、２３……ビームスプリッタ、２４……コリメータレンズ、２５……対物レンズ、２６……２軸アクチュエータ、２７……シリンドリカルレンズ、２８……信号処理部、３５〜４０……迷光受光部。
【図１】
2007179711.tif 000003
【図２】
2007179711.tif 000004
【図３】
2007179711.tif 000005
【図４】
2007179711.tif 000006
【図５】
2007179711.tif 000007
【図６】
2007179711.tif 000008
【図７】
2007179711.tif 000009
【図８】
2007179711.tif 000010